(57)【要約】【課題】ＮＤ情報の受信に失敗したときの操作性を向上させる。【解決手段】ＮＤ情報を受信し、このＮＤ情報によって受信した画情報を転送／配信する。ＮＤ情報を受信する受信手段と、受信手段がＮＤ情報を受信したか否かを判断する判定手段と、判定手段がＮＤ情報を受信しないと判断したとき、ＮＤ情報の送受信に関する処理を行う制御手段とを備える。制御手段は、下記（Ａ）〜（Ｆ）のいずれかの処理を選択的に行う。（Ａ）ＮＤ情報の受信を切断し、次のＮＤ情報の受信まで待機する。（Ｂ）受信エラーを表示する。（Ｃ）受信エラーをレポート出力する。（Ｄ）ＮＤ情報の送信元に受信エラーを通知する。（Ｅ）ＮＤ情報又は受信エラーを他の通信機器に転送する。（Ｆ）着信拒否送信元のＮＤ情報に該当するとき、受信を切断する。【選択図】図２
2008227765.tif 000002
【特許請求の範囲】
【請求項１】
通信前情報通知サービス情報（以下、ＮＤ情報）を受信し、前記ＮＤ情報によって受信した画情報を転送／配信する情報制御装置であって、
前記ＮＤ情報を受信する受信手段と、
前記受信手段が前記ＮＤ情報を受信したか否かを判断する判定手段と、
前記判定手段が前記ＮＤ情報を受信しないと判断したとき、前記ＮＤ情報の送受信に関する処理を行う制御手段とを備えていることを特徴とする情報制御装置。
【請求項２】
前記制御手段は、下記（Ａ）〜（Ｆ）のいずれかの処理を選択的に行うことを特徴とする請求項１記載の情報制御装置。
（Ａ）ＮＤ情報の受信を切断し、次のＮＤ情報の受信まで待機する。
（Ｂ）受信エラーを表示する。
（Ｃ）受信エラーをレポート出力する。
（Ｄ）ＮＤ情報の送信元に受信エラーを通知する。
（Ｅ）ＮＤ情報又は受信エラーを他の通信機器に転送する。
（Ｆ）着信拒否送信元のＮＤ情報に該当するとき、受信を切断する。
【請求項３】
ＮＤ情報を受信し、前記ＮＤ情報によって受信した画情報を転送／配信する情報制御方法であって、
前記ＮＤ情報を受信する受信ステップと、前記ＮＤ情報を受信したか否かを判断する判定ステップと、
前記ＮＤ情報を受信しないと判断したとき、前記ＮＤ情報の送受信に関する処理を行う制御ステップとを備えていることを特徴とする情報制御方法。
【請求項４】
前記制御ステップにおいては、下記（ａ）〜（ｆ）のいずれかの処理を選択的に行うことを特徴とする請求項３記載の情報制御方法。
（ａ）ＮＤ情報の受信を切断し、次のＮＤ情報の受信まで待機する。
（ｂ）受信エラーを表示する。
（ｃ）受信エラーをレポート出力する。
（ｄ）ＮＤ情報の送信元に受信エラーを通知する。
（ｅ）ＮＤ情報又は受信エラーを他の通信機器に転送する。
（ｆ）着信拒否送信元のＮＤ情報に該当するとき、受信を切断する。
【請求項５】
コンピュータに請求項３又は４記載の各ステップを実行させるための情報制御プログラム。
【請求項６】
請求項５記載の情報制御プログラムを記録したコンピュータ読取可能な記録媒体。
【発明の詳細な説明】
【技術分野】
【０００１】
本発明は、通信前情報通知サービス情報（以下、ＮＤ情報）を受信し、このＮＤ情報によって受信した画情報を転送／配信する情報制御装置、情報制御方法、情報制御プログラム及び記録媒体に関する。
【背景技術】
【０００２】
ファクシミリ装置やパソコン等の通信機器では、ネットワーク網から通知されるＮＤ情報を使って転送／配信する機器が開発されている。このような通信機器では、通信に失敗したときに対する処置が必要であり、従来では、特許文献１及び２に記載されるような処置が行われている。すなわち、特許文献１記載の処置では、通信に失敗したとき別ルートによる転送／配信を行うものであり、特許文献２記載の処置では、転送失敗した受信側機器を変更するものである。
【特許文献１】特開２００５−１８２６８３号公報
【特許文献２】特開２０００−３５８６７号公報
【発明の開示】
【発明が解決しようとする課題】
【０００３】
しかしながら、従来の処置では、情報自体の転送／配信する時のルートまたは転送／配信先を変更するだけである。従って、ノイズ等何らかの要因でＮＤ情報（通信前情報通知サービス情報）自体が受信できず、ＮＤ情報をキーとした転送／配信については、適用ができず、操作性が悪い問題を有している。
【０００４】
本発明は、このような問題点を考慮してなされたものであり、ＮＤ情報自体が受信できない場合の制御を行うことにより、操作性を向上させることが可能な情報制御装置、情報制御方法、情報制御プログラム及び記録媒体を提供することを目的とする。
【課題を解決するための手段】
【０００５】
請求項１記載の発明の情報制御装置は、通信前情報通知サービス情報（以下、ＮＤ情報）を受信し、このＮＤ情報によって受信した画情報を転送／配信する情報制御装置であって、前記ＮＤ情報を受信する受信手段と、受信手段がＮＤ情報を受信したか否かを判断する判定手段と、判定手段がＮＤ情報を受信しないと判断したとき、ＮＤ情報の送受信に関する処理を行う制御手段とを備えていることを特徴とする。
【０００６】
請求項２記載の発明は、請求項１記載の情報制御装置であって、前記制御手段は、下記（Ａ）〜（Ｆ）のいずれかの処理を選択的に行うことを特徴とする。
（Ａ）ＮＤ情報の受信を切断し、次のＮＤ情報の受信まで待機する。
（Ｂ）受信エラーを表示する。
（Ｃ）受信エラーをレポート出力する。
（Ｄ）ＮＤ情報の送信元に受信エラーを通知する。
（Ｅ）ＮＤ情報又は受信エラーを他の通信機器に転送する。
（Ｆ）着信拒否送信元のＮＤ情報に該当するとき、受信を切断する。
【０００７】
請求項３記載の発明の情報制御方法は、ＮＤ情報を受信し、このＮＤ情報によって受信した画情報を転送／配信する情報制御方法であって、前記ＮＤ情報を受信する受信ステップと、ＮＤ情報を受信したか否かを判断する判定ステップと、ＮＤ情報を受信しないと判断したとき、ＮＤ情報の送受信に関する処理を行う制御ステップとを備えていることを特徴とする。
【０００８】
請求項４記載の発明は、請求項３記載の情報制御方法であって、前記制御ステップにおいては、下記（ａ）〜（ｆ）のいずれかの処理を選択的に行うことを特徴とする。
（ａ）ＮＤ情報の受信を切断し、次のＮＤ情報の受信まで待機する。
（ｂ）受信エラーを表示する。
（ｃ）受信エラーをレポート出力する。
（ｄ）ＮＤ情報の送信元に受信エラーを通知する。
（ｅ）ＮＤ情報又は受信エラーを他の通信機器に転送する。
（ｆ）着信拒否送信元のＮＤ情報に該当するとき、受信を切断する。
【０００９】
請求項５記載の発明のプログラムは、コンピュータに請求項３又は４記載の各ステップを実行させるための情報制御プログラムであることを特徴とする。
【００１０】
請求項６記載の発明の記録媒体は、請求項５記載の情報制御プログラムを記録したコンピュータ読取可能な記録媒体であることを特徴とする。
【発明の効果】
【００１１】
本発明は、ＮＤ情報の受信ができないとき、ＮＤ情報の送受信に関する処理を行うため、操作性を向上させることができる情報制御装置、情報制御方法、情報制御プログラム及び記録媒体を提供可能とする。
【発明を実施するための最良の形態】
【００１２】
以下、本発明を図示する実施形態により具体的に説明する。図１は、本発明の一実施形態における情報制御装置の構成を示すブロック図である。この情報制御装置としては、ファクシミリ装置に適用されるものである。
【００１３】
図１において、操作部１は一般的なファクシミリ操作を行うことが可能である。ファクシミリに関するデータはアスキーコードでＦＡＸ制御部３内のＲＡＭに記憶される。表示部２は操作部１を介して設定された送信条件等を表示する。
【００１４】
操作部１からファクシミリ発信動作が行われると、ＦＡＸ制御部３の制御により送信原稿が読取り部４で読み取られ、メモリ７を介して信号発生部６において専用伝送フォーマットに組み立てられ、ファクシミリの場合は回線制御部８を介し、メールの場合はネットワーク制御部９を介して設定された相手先に送信される。回線制御部８及びネットワーク制御部９は、ＮＤ情報を受信する受信手段として機能する。
【００１５】
受信したフォーマットは、ＦＡＸ制御部３により分解されて解読され、画像はメモリ７に記憶されると共に記録部５により記録紙に出力される。ＦＡＸ制御部３は、ファクシミリ装置全体の制御を行う。この実施形態において、ＦＡＸ制御部３は、ＮＤ情報を受信したか否かを判断する判定手段及びＮＤ情報を受信しないとき、ＮＤ情報の送受信に関する処理を行う制御手段として機能する。
【００１６】
この実施形態において、ＮＤ受信失敗時の各種設定情報は、操作部１により設定されるとＦＡＸ制御部３内のＲＡＭに記憶される。以下に設定情報を説明する。
【００１７】
（１）ＮＤ情報受信失敗時の機器代替動作情報
ＮＤ情報受信失敗時に代替動作させる種別として、『自機出力』、『回線切断』、『番号入力によるリカバリ』、『受信失敗時通知』、『登録宛先への転送』の５つ何れかの設定がされ記憶される。図１に示すファクシミリ装置（以下、機器）は、ＮＤ情報受信失敗時に、本設定情報に従い代替動作を行う。
【００１８】
（２）ＮＤ情報受信失敗時のレポート出力設定情報
ＮＤ情報受信失敗時に、機器よりそれを通知するレポートの出力有無を設定記憶される。機器は、ＮＤ情報受信失敗時本設定情報でレポート出力有りの場合にレポート出力する。
【００１９】
（３）ＮＤ情報受信失敗時の履歴出力設定情報
ＮＤ情報受信失敗時に、機器よりＮＤ受信動作に関する履歴情報を出力する・しないかが設定記憶される。機器は、ＮＤ情報受信する場合、常にその動作を履歴として記憶するが、特に、ＮＤ情報受信失敗時、本設定情報で出力する設定がされている場合に機器から履歴情報を出力する。
【００２０】
（４）ＮＤ情報受信失敗時の着信拒否設定情報
ＮＤ情報受信失敗し且つ着信拒否する送信元宛先が１つでも登録されている時に受信切断する・しないかが設定記憶される。
【００２１】
（５）受信失敗時の通知先設定情報
機器代替動作で『受信失敗時通知』が設定された時に、通知される宛先が設定記憶される。
【００２２】
（６）受信失敗時の転送先設定情報
機器代替動作で『登録宛先への転送』が設定された時に、受信画像を転送する宛先が設定記憶される。
【００２３】
（７）着信拒否送信元リスト
このリストは、図４に示すように、着信拒否する送信元宛先番号情報を設定記憶する。機器は、ＮＤ情報を受信しその発信元情報が本リストに登録されているとき、またはＮＤ受信失敗したときに、図４のリストに１つ以上の送信元宛先が登録されているときに受信切断する。
【００２４】
図２は、以上の各種設定情報に基づくＮＤ受信失敗時の代替動作フローを示す。なお、図２のフローは、『番号入力によるリカバリ』以外の代替動作フローであり、代替動作として『番号入力によるリカバリ』が設定されている時は、図３のような受信ファイルの再転送／配信する動作フローを行う。
【００２５】
ＮＤ情報受信失敗すると、図２の処理を開始する。着信拒否設定情報をチェックする（ステップＳ１１）。拒否設定されている場合で、且つ着信拒否送信元リストに１つ以上の送信元が登録されている時に（ステップＳ１１／ＹＥＳ）、受信を切断する（ステップＳ１２）。切断後、終了処理へ移行する。
【００２６】
拒否設定されている場合で、且つ着信拒否送信元リストに１つ以上の送信元が登録されていない場合（ステップＳ１１／ＮＯ）、代替動作情報をチェックする（ステップＳ１３）。『回線切断』設定されている場合は（ステップＳ１３／ＹＥＳ）、ステップＳ１２に移行して受信切断し、終了へ移行する。『回線切断』設定されていない場合は（ステップＳ１３／ＮＯ）、ファクシミリ受信を行い受信画像をメモリ７に蓄積する（ステップＳ１４）。
【００２７】
ステップＳ１４に続くステップＳ１５では、代替動作情報をチェックする（ステップＳ１５）。そして、『自機出力』が設定されている場合は（ステップＳ１５／ＹＥＳ）、受信画像を出力する（ステップＳ１６）。その後、受信画像を削除する（ステップＳ２１）。その後、ステップＳ２２へ移行する。『自機出力』が設定されていない場合は（ステップＳ１５／ＮＯ）、代替動作情報をチェックする（ステップＳ１７）。
【００２８】
代替動作情報をチェックし、『受信失敗時通知』が設定されていると判断した場合（ステップＳ１７／ＹＥＳ）、ＮＤ受信失敗したことを通知先情報に設定された宛先に通知し（ステップＳ１８）、その後、受信画像を削除し（ステップＳ２１）、ステップＳ２２へ移行する。
代替動作情報をチェックし、『受信失敗時通知』が設定されていないと判断した場合（ステップＳ１７／ＮＯ）、代替動作情報をチェックする（ステップＳ１９）。
【００２９】
代替動作情報をチェックし、『登録宛先への転送』が設定されていると判断した場合は（ステップＳ１９／ＹＥＳ）、転送先設定情報に設定されている宛先に受信画像を転送／配信する（ステップＳ２０）。その後、受信画像を削除する（ステップＳ２１）。削除後、ステップＳ２２へ移行する。代替動作情報をチェックし、『登録宛先への転送』が設定されていないと判断した場合は（ステップＳ１９／ＮＯ）、レポート出力設定情報をチェックする（ステップＳ２２）。
【００３０】
ステップＳ２２の処理のレポート出力設定情報をチェック後、出力有りと判断した場合は（ステップＳ２２／ＹＥＳ）、オペレータにＮＤ受信失敗したことを通知するためにレポート出力する（ステップＳ２５）。ステップＳ２２の処理のレポート出力設定情報をチェック後、出力なしと判断した場合は（ステップＳ２２／ＮＯ）、ログ出力有りか否かを判断する（ステップＳ２４）。
【００３１】
ステップＳ２４では、履歴出力設定情報をチェックし、出力すると判断した場合は（ステップＳ２４／ＹＥＳ）、ＮＤ情報受信失敗に関する履歴情報を出力し、オペレータに履歴情報を元に機器環境の調整を促す（ステップＳ２５）。ステップＳ２４の処理で、履歴出力設定情報をチェックし、出力しないと判断した場合は（ステップＳ２４／ＮＯ）、処理を終了する。
【００３２】
以上の処置により、ＮＤ情報の受信が行われなかった場合の操作性が向上する。
【００３３】
図３は、代替動作情報に『番号入力によるリカバリ』が設定されていた場合におけるオペレータによる番号再入力後の動作フローである。すなわち、『番号入力によるリカバリ』以外の代替動作を終了し、蓄積中の受信画像がある場合は図３のフローに従いオペレータによる番号入力を待ち、設定されると、設定された受信画像が当該情報を元に転送／配信動作及び転送/配信済み画像の削除を行う。
【００３４】
図３のステップＳ３１において、『番号入力によるリカバリ』以外の代替動作設定を終了したか否かを判断する（ステップＳ３１）。『番号入力によるリカバリ』以外の代替動作設定を終了したと判断した場合（ステップＳ３１／ＹＥＳ）、ステップＳ３２に移行し、受信画像有無をチェックする（ステップＳ３２）。『番号入力によるリカバリ』以外の代替動作設定を終了していないと判断した場合、（ステップＳ３１／ＮＯ）、処理を終了する。ステップＳ３２の処理では、受信画像有無をチェックし、画像が無いと判断した場合は（ステップＳ３１／ＹＥＳ）、終了処理へ移行する。
【００３５】
ステップＳ３２において、画像が存在すると判断した場合には（ステップＳ３２／ＹＥＳ）、オペレータに、ＮＤ受信失敗し受信画像が存在することを表示部２に表示して通知する。オペレータは受信画像が存在することの通知を受け、機器通信履歴表示等により当該画情報の送信元を確認し送信元番号を操作部１から入力する（ステップＳ３３）。ステップＳ３２において、画像が存在しないと判断した場合には（ステップＳ３２／ＮＯ）、処理を終了する。
【００３６】
ステップＳ３３の処理後、オペレータにより番号入力されているかチェックする（ステップＳ３４）。オペレータにより番号入力されているかチェックされていれば（ステップＳ３４／ＹＥＳ）、当該画像を予め登録されている転送先に転送／配信する（ステップＳ３５）。入力されていない場合は（ステップＳ３４／ＮＯ）、ステップＳ３２の処理に戻り、再び、受信画像の有無をチェックする。
【００３７】
このような処置により、ＮＤ情報受信失敗時に、オペレータにより設定された代替動作に従い動作することができ、操作性が向上する。
【００３８】
本発明の情報制御プログラムは、以上のフローチャートが記録されてコンピュータに実行させるプログラムである。本発明の記録媒体は、この制御制御プログラムをコンピュータが読取可能に記録された記録媒体である。
【図面の簡単な説明】
【００３９】
【図１】本発明の一実施形態の構成を示すブロック図である。
【図２】情報制御のフローチャートである。
【図３】図２に続く情報制御のフローチャートである。
【図４】着信拒否送信元のリスト例を示す正面図である。
【符号の説明】
【００４０】
１    操作部
２    表示部
３    ＦＡＸ制御部
４    読取り部
５    記録部
６    信号発生部
７    メモリ
８    回線制御部
９    ネットワーク制御部
【図１】
2008227765.tif 000003
【図２】
2008227765.tif 000004
【図３】
2008227765.tif 000005
【図４】
2008227765.tif 000006